(57)【要約】【課題】台２００を用いずに簡単な操作で撮像領域を拡大でき、使い勝手のよい資料提示装置１０を提供することを目的とする。撮影領域２２を拡大しても資料以外のものが写し込まれるのを回避して、資料だけを撮像できる資料提示装置１０を提供する。【解決手段】脚部１５，１６の高さ及び前側脚部１５の垂設位置の基台前面１１ａからの後退距離Ｄを、脚部１５，１６を起立させることにより装置設置面２０における撮像領域２２が脚部設置点の直前まで拡大するように設定する。これにより、大サイズの資料を撮像することが可能となるとともに、かつ大サイズの資料の撮像時に前側脚部１５が写し込まれるのを回避できる。【選択図】図１
2010177718.tif 000002
【特許請求の範囲】
【請求項１】
基台と、基台から立設した支柱と、支柱先端に取り付けたカメラヘッドを備え、前記支柱は基台から直立する直立部と、直立部から水平に前記基台の前方へ延びる水平部を有し、水平部の先端に前記カメラヘッドを設け、装置設置面に置かれた資料を前記カメラヘッドで撮像するように構成した資料提示装置であって、
前記基台の前面から所定距離だけ後退した基台底面の所定位置に脚部を垂設し、装置設置面における前記カメラヘッドの撮影領域を脚部設置点の直前まで拡大したことを特徴とする資料提示装置。
【請求項２】
前記脚部を前記基台の底面に起立倒伏可能に組み付けたことを特徴とする請求項１に記載の資料提示装置。
【請求項３】
前記基台底面に倒伏した脚部が埋納される格納凹部を形成したことを特徴とする請求項２に記載の資料提示装置。
【発明の詳細な説明】
【技術分野】
【０００１】
本発明は、基台に立設した支柱の先端部にカメラヘッドを設け、基台の前方に置いた書類や模型等の資料をカメラヘッドで撮像し、撮像をモニターテレビで再生したり、ビデオプロジェクターでスクリーンに投影する資料提示装置に関する。
【背景技術】
【０００２】
資料提示装置の一形式として、特開２００８−１９３３９１号公報には、図８及び図９に示すように基台１０１から支柱１０２を立設し、この支柱１０２先端にカメラヘッド１０３を取り付けた資料提示装置１００が開示されている。
【０００３】
この資料提示装置１００では、支柱１０２が基台１０１から直立する直立部１０２ａと、直立部１０２ａから連続して水平に基台１０１の前方へ延びる水平部１０２ｂを有し、水平部１０２ｂの先端にカメラヘッド１０３を設けている。そして、資料を基台１０１の前面に近接するように装置設置面上に置き、カメラヘッドの撮像レンズ１０４で資料を撮像する。
【先行技術文献】
【特許文献】
【０００４】
【特許文献１】特開２００８−１９３３９１号公報
【発明の概要】
【発明が解決しようとする課題】
【０００５】
上記した従来の資料提示装置１００では、資料のサイズがカメラヘッド１０３の撮像領域より大きい場合、資料提示装置１００とは別の台２００を用い、この台２００に資料提示装置１００を乗せて資料を撮像している。資料提示装置１００を台２００に乗せることによりカメラヘッドの撮像レンズ１０４から資料までの撮影距離が台２００を用いない場合な比べて延びるので、その分カメラヘッド１０３の撮像領域２０１を拡大できる。
【０００６】
しかし、従来の資料提示装置１００は、装置１００とは別に装置１００を乗せることができる台２００を用意しなければ撮像領域を拡大できないので、使い勝手が悪い。
また、資料提示装置１００を台２００に乗せて撮像領域２０１を拡大すると、図９に示すように台２００の前端部までも撮像領域２０１に含まれるので、台２００の前端部が写し込まれてしまうという不都合が生じる。
【０００７】
本発明はかかる問題点に鑑み、台を用いずに簡単な操作で撮像領域を拡大でき、使い勝手のよい資料提示装置を提供することを目的とする。
また、撮影領域を拡大しても資料以外のものが写し込まれるのを回避して、資料だけを撮像できる資料提示装置を提供することを目的とする。
【課題を解決するための手段】
【０００８】
請求項１に記載の発明は、基台と、基台から立設した支柱と、支柱先端に取り付けたカメラヘッドを備え、前記支柱は基台から直立する直立部と、直立部から水平に前記基台の前方へ延びる水平部を有し、水平部の先端に前記カメラヘッドを設け、装置設置面に置かれた資料を前記カメラヘッドで撮像するように構成した資料提示装置であって、
前記基台の前面から所定距離だけ後退した基台底面の所定位置に脚部を垂設し、装置設置面における前記カメラヘッドの撮影領域を脚部設置点の直前まで拡大したことを特徴とする。
【０００９】
請求項２に記載の発明は、請求項１に記載の資料提示装置において、前記脚部を前記基台の底面に起立倒伏可能に組み付けたことを特徴とする。
【００１０】
請求項３に記載の発明は、請求項２に記載の資料提示装置において、前記基台底面に倒伏した脚部が埋納される格納凹部を形成したことを特徴とする。
【発明の効果】
【００１１】
請求項１に記載の発明によれば、基台に脚部を垂設したので、基台を直接設置する場合に比べ脚部の高さだけカメラヘッドから装置設置面上の資料までの距離が長くなる。その結果、カメラヘッドの撮像領域が拡大され、より大きいサイズの資料を撮像できる。
しかして、脚部を基台前面から所定距離後退した位置から垂設することにより、カメラヘッドの装置設置面における撮像領域を脚部設置点の直前まで拡大したので、大サイズの資料を撮像しても、脚部が写し込まれるのを回避できる。
【００１２】
請求項２に記載の発明によれば、脚部を基台底面に倒伏させることにより、装置をコンパクトに折り畳むことができる。
【００１３】
請求項３に記載の発明によれば、脚部を格納凹部に埋納できるので、装置をよりコンパクトに折り畳むことができる。
【図面の簡単な説明】
【００１４】
【図１】本発明の実施例に係る資料提示装置を示す斜視図である。
【図２】同資料提示装置を示す底面から見た斜視図である。
【図３】同資料提示装置の脚部が倒伏した斜視図である。
【図４】同資料提示装置の脚部が倒伏した側面図である。
【図５】同資料提示装置の脚部が倒伏した平面図である。
【図６】同資料提示装置の脚部が起立した側面図である。
【図７】同資料提示装置の脚部が起立した平面図である。
【図８】従来の資料提示装置を示す斜視図である。
【図９】従来の資料提示装置を示す側面図である。
【実施例１】
【００１５】
以下に本発明を図面に基づき説明するに、図１には本発明の一実施例に係る資料提示装置１０が示されている。当該資料提示装置１０は基台１１、支柱１２及びカメラヘッド１３を備えている。基台１１は平面形状が矩形で前面１１ａと背面１１ｂは湾曲面として形成され、内部には制御回路ユニットが内蔵されている。基台１１の背面にはテレビモニターやビデオプロジェクターと資料提示装置１０を接続するための各種端子が配設されている。
【００１６】
支柱１２は中空構造を有し、基台１１の前部中央に支持ブラケット１４によって立設されている。この支柱１２は直立部１２ａと直立部１２ａから連続する湾曲部１２ｂ及び湾曲部１２ｂから基台１１の前面の１１ａ前方へ水平に延びる水平部１２ｃから構成され、内部には基台１１に内蔵された制御回路ユニットとカメラヘッド１３を接続するワイヤーハーネスが挿通されている。
【００１７】
カメラヘッド１３は細長い円筒形のハウジング１３ａを有し、ハウジング１３ａの一端にはオートフォーカスボタン１３ｂを組み込んだズームダイヤル１３ｃが組み付けられ、ハウジング１３ａの他端下面に撮像レンズを組み込んだレンズ鏡筒１３ｄが垂設されている。ハウジング１３ａの内部にはカメラ制御回路が内蔵されている。ハウジング１３ａのズームダイヤル１３ｃ側端部の背面にブラケット１３ｅが固設され、このブラケット１３ｅでハウジング１３ａが支柱１２の水平部１２ｃの先端に連結され、基台１１の前面１１ａの前方上方で水平部１２ｃに直交する水平方向に延びている。そして、カメラヘッド１３のレンズ鏡筒１３ｄが基台１１の前面の前方上方でかつ右寄りに配置されている。
なお、カメラヘッド１３の重みで資料提示装置１０が基台１１の前方へ傾倒するのを防止するため基台１１内部には所要重量のバランサーが内蔵されている。
【００１８】
基台１１の底面には前側脚部１５と後側脚部１６が垂設されている。とくに前側脚部１５は基台１１の前面１１ａから所定距離Ｄ（図６参照）だけ後退した位置に設けられている。各脚部１５，１６は一対の縦枠１５ａ，１６ａと両縦枠１５ａ，１６ａを連結する横枠１５ｂ，１６ｂから成る逆門形を有し、縦枠１５ａ，１６ａの端部が基台１１の底面から起立した位置と倒伏した位置の間で回動可能に組み付けられている。図２に示すように基台１１の底面１１ｃには倒伏した脚部１５，１６が埋納される格納凹部１１ｄが形成されている。脚部１５，１６は格納凹部１１ｄに倒伏したとき底面１１ｃと脚部端面が面一若しくは脚部端面が底面１１ｃより内側にくるように寸法形状が設定されている。
【００１９】
本実施例に係る資料提示装置１０の構造は以上の通りであって、以下にその使用方法を説明する。図３、図４及び図５に示すように、資料提示装置１０の脚部１５，１６を基台１１の格納凹部１１ｄ内に倒伏させて使用する場合、装置設置面２０（図４参照）に資料を置き、ズームダイヤル１３ｃを操作し、資料のサイズと位置に合わせて装置設置面２０上の撮像領域２１を調整する。
【００２０】
資料のサイズが大きく、撮像レンズの画角を最広角に設定しても資料の全体を撮像できないような場合、図１、図２、図６及び図７に示すように脚部１５，１６を格納凹部１１ｄから起立させる。この操作によって装置設置面２０と最広角に設定した撮像レンズとの距離が脚部１５，１６の高さＨ（図６参照）だけ長くなるので、装置設置面２０における撮像領域２２が前側脚部１５の設置点の直前まで拡大する。
【００２１】
本実施例に係る資料撮像装置１０では、脚部１５，１６の高さ及び前側脚部１５の垂設位置の基台前面１１ａからの後退距離Ｄを、脚部１５，１６を起立させることにより装置設置面２０における撮像領域２２が脚部設置点の直前まで拡大するように設定されている。そのため、大サイズの資料を撮像することが可能となるとともに、かつ大サイズの資料の撮像時に前側脚部１５が写し込まれるのを回避できる。
【００２２】
また、本実施例によれば、脚部１５，１６を格納凹部１１ｄに倒伏させて埋納できるので、資料提示装置１０をコンパクトに折り畳むことができる。
【符号の説明】
【００２３】
１０…資料提示装置
１１…基台
１２…支柱
１２ａ…直立部
１２ｂ…湾曲部
１２ｃ…水平部
１３…カメラヘッド
１５…前側脚部
１６…後側脚部
２０…装置設置面
２１，２２…撮像領域
【図１】
2010177718.tif 000003
【図２】
2010177718.tif 000004
【図３】
2010177718.tif 000005
【図４】
2010177718.tif 000006
【図５】
2010177718.tif 000007
【図６】
2010177718.tif 000008
【図７】
2010177718.tif 000009
【図８】
2010177718.tif 000010
【図９】
2010177718.tif 000011